(57)【特許請求の範囲】
【請求項１】
第１の希望チャンネル信号と、前記第１の希望チャンネル信号と近接して配置された非希望チャンネル信号と、前記第１の希望チャンネル信号と前記非希望チャンネル信号とは離れて配置された第２の希望チャンネル信号とを、少なくとも含むテレビジョン放送ブロック信号が、供給される入力端子と、
前記入力端子に供給された前記テレビジョン放送ブロック信号から前記第２の希望チャンネル信号を抽出する抽出手段と、
前記抽出手段で抽出された前記第２の希望チャンネル信号を、前記非希望チャンネル信号と同じチャンネルに周波数変換して出力する第１の変換手段と、
前記入力端子に供給された前記テレビジョン放送ブロック信号と前記第１の変換手段の出力信号とを合成して、出力する合成手段とを、
具備する特定チャンネル妨害装置。
【請求項２】
請求項１記載の特定チャンネル妨害装置において、前記第１及び第２の希望チャンネル信号は同一の変調方式で変調され、前記非希望チャンネル信号は、前記第１及び第２の希望チャンネル信号とは異なる変調方式で変調されている特定チャンネル妨害装置。
【請求項３】
請求項２記載の特定チャンネル妨害装置において、前記合成手段に供給される第１の変換手段の出力信号は、第２の希望チャンネル信号と周波数軸上で反転されている特定チャンネル妨害装置。
【請求項４】
請求項１乃至３いずれか記載の特定チャンネル妨害装置において、前記合成手段に供給される前記第１の変換手段の出力信号のピークレベルは、増幅手段によって増幅されて前記非希望チャンネル信号のピークレベル以上である特定チャンネル妨害装置。
【請求項５】
請求項１乃至４いずれか記載の特定チャンネル妨害装置において、前記テレビジョン放送ブロック信号が第２の周波数変換手段によって周波数変換され、前記第１の周波数変換手段の出力信号が、前記第２の周波数変換手段によって周波数変換された前記非希望チャンネル信号と同じチャンネルである特定チャンネル妨害装置。
【発明の詳細な説明】
【技術分野】
【０００１】
本発明は、特定のチャンネルのテレビジョン放送信号を妨害する装置に関する。
【背景技術】
【０００２】
近年、地上アナログテレビジョン放送に加えて、地上デジタルテレビジョン放送も開始されている。地域によっては、地上アナログテレビジョン放送のチャンネルと地上デジタルテレビジョン放送のチャンネルとが近接、例えば隣接していることがある。このような場合、同一内容の地上アナログテレビジョン放送信号と地上デジタルテレビジョン放送信号とが地域によっては近接し、地上アナログテレビジョン放送信号の受信を不可能にすることが求められることがある。このような場合、例えば特許文献１に開示されている技術を利用して、地上アナログテレビジョン放送信号の受信を不可能にすることが考えられる。
【０００３】
この技術では、地上アナログテレビジョン放送信号と地上デジタルテレビジョン放送信号とを前置増幅器で増幅した後に２分配し、一方の分配出力を地上デジタルテレビジョン放送用の帯域通過フィルタに供給して、地上デジタルテレビジョン放送信号を抽出した後に増幅器で増幅する。他方の分配出力を地上アナログテレビジョン放送用の帯域通過フィルタに供給して、地上アナログテレビジョン放送信号を抽出した後に増幅器で増幅する。これら２つの増幅器の出力を合成して、出力する。この技術のうち地上デジタルテレビジョン放送信号のみの抽出を利用することが考えられる。
【０００４】
【特許文献１】特開２００３−１２５２３１号公報
【発明の開示】
【発明が解決しようとする課題】
【０００５】
しかし、上記の技術では、地上デジタルテレビジョン放送信号と地上アナログテレビジョン放送信号とが近接している場合、地上アナログテレビジョン放送信号を除去するための帯域通過フィルタには、選択性の鋭い、例えば特定チャンネル用ノッチフィルタを使用しなければならず、コストが高くなる。更に、選択性の鋭い帯域通過フィルタを使用したとしても、隣接する不要な放送信号を希望チャンネルに影響を与えず完全に除去することは困難である。
【０００６】
本発明は、低コストで確実に不所望なテレビジョン放送信号を妨害することができる特定チャンネル妨害装置を提供することを目的とする。
【課題を解決するための手段】
【０００７】
本発明の一態様の特定チャンネル妨害装置は、入力端子を有している。この入力端子には、テレビジョン放送ブロック信号が供給されている。このテレビジョン放送ブロック信号では、第１の希望チャンネル信号と非希望チャンネル信号とが近接して配置され、これらチャンネル信号とは離れて第２の希望チャンネル信号が配置されている。第１及び第２の希望チャンネル信号と非希望チャンネル信号以外のチャンネル信号も、テレビジョン放送ブロック信号に含まれることがある。第１の希望チャンネル信号と非希望チャンネル信号とは、例えば隣接チャンネルまたは、隣隣接チャンネルに配置されていることがある。入力端子に供給された前記テレビジョン放送ブロック信号から第２の希望チャンネル信号を抽出手段が抽出する。抽出手段としては、例えばフィルタを使用することができる。この抽出手段で抽出された第２の希望チャンネル信号を、非希望チャンネル信号と同じチャンネルに第１の変換手段、例えば周波数変換手段が周波数変換して、出力する。前記入力端子に供給された前記テレビジョン放送ブロック信号と第１の変換手段の出力信号とを合成手段が合成して、出力する。
【０００８】
このように構成された特定チャンネル妨害装置では、第２の希望チャンネルの信号を非希望チャンネル信号と同じチャンネルに周波数変換して、非希望チャンネル信号と合成しているので、非希望チャンネルを、周波数変換された第２の希望チャンネル信号でマスクすることができ、第１の希望チャンネル信号の受信に非希望チャンネル信号が影響を与えることがない。しかも、マスクするための信号として、第２の希望チャンネル信号を使用しているので、マスク信号源を予め準備する必要が無く、コストを低減することができる。しかも、第１の希望チャンネル信号と非希望チャンネル信号とは、周波数が離れた第２の希望チャンネル信号をマスク信号として使用しているので、第２の希望チャンネル信号をテレビジョン放送ブロック信号から抽出するために使用する抽出手段には、選択性の鋭いものを使用する必要が無く、さらにコストを低減することができる。
【０００９】
前記第１希望チャンネル信号と第２の希望チャンネル信号とは同一の変調方式で変調され、非希望チャンネル信号は、第１及び第２の希望チャンネル信号とは異なる変調方式で変調されているものとすることができる。例えば第１及び第２の希望チャンネル信号を、地上デジタルテレビジョン放送信号とし、非希望チャンネル信号を地上アナログテレビジョン放送信号とすることができる。
【００１０】
このように構成すると、非希望チャンネル信号をマスクする第２の希望チャンネル信号は、第１の希望チャンネル信号と同じ変調方式のものであるので、希望チャンネル信号と接近したチャンネルである非希望チャンネルに周波数変換されても、希望チャンネル信号に殆ど妨害を与えない。
【００１１】
これに加えて、前記合成手段に供給される第１の変換手段の出力信号は、第２の希望チャンネル信号と周波数軸上で反転されているものとすることができる。例えば第１の変換手段において、局部発振手段の局部発振信号の周波数から第２の希望チャンネル信号のチャンネルを減算したチャンネルが、非希望チャンネル信号のチャンネルになるように第２の希望チャンネル信号を周波数変換する。これによって、第２の希望チャンネル信号の上限周波数が、周波数変換後の希望チャンネル信号のチャンネルの下限周波数に対応し、第２の希望チャンネル信号の下限周波数が、周波数変換後の非希望チャンネル信号のチャンネルの上限周波数に対応する。
【００１２】
このように反転させると、第１の希望チャンネル信号を受信する際に、マスクされた非希望チャンネル信号の一部も希望チャンネル信号と共に受信されたとしても、マスク用の非希望チャンネル信号が反転されているので、希望チャンネル信号の受信に影響を及ぼすことがない。
【００１３】
或いは、合成手段に供給される第１の変換手段の出力信号のピークレベルは、非希望チャンネル信号のピークレベル以上とすることができる。そのため、例えば第１の変換手段の出力信号を増幅手段によって増幅した後に、合成手段に供給する。
【００１４】
このように構成すると、非希望チャンネル信号は、周波数変換された第２の希望チャンネル信号によって完全にマスクされるので、希望チャンネル信号の受信に非希望チャンネル信号が影響を与えることはない。
【００１５】
前記テレビジョン放送ブロック信号を第２の周波数変換手段によって周波数変換することができる。この場合、第１の周波数変換手段の出力信号が、第２の周波数変換手段によって周波数変換された非希望チャンネル信号と同じチャンネルとされる。例えばテレビジョン放送ブロック信号は、共同受信システムにおけるミッドバンドに周波数変換される。
【００１６】
このように構成することによって、テレビジョン放送ブロック信号が周波数変換される場合であっても、非希望チャンネル信号の影響を除去することができる。
【発明の効果】
【００１７】
以上のように、本発明によれば、低コストで確実に希望チャンネル信号に近接した非希望チャンネル信号の視聴を不可とすることができる。
【発明を実施するための最良の形態】
【００１８】
本発明の１実施形態の特定チャンネル妨害装置は、図１に示すように、共同受信システムに使用されるコンバータ２に実施されている。
【００１９】
このコンバータ２は、入力端子４を有している。入力端子４には、テレビジョン放送受信用アンテナ６によって受信されたテレビジョン放送ブロック信号が供給されている。このテレビジョン放送ブロック信号は、図２（ａ）に示すように、複数の地上デジタルテレビジョン放送信号、例えばチャンネル１５乃至チャンネル１８のテレビジョン放送信号が隣接チャンネルで配置され、これら地上デジタルテレビジョン放送信号の最も高いチャンネルであるチャンネル１８の上側に隣接して、地上アナログテレビジョン放送信号、例えばチャンネル１９のテレビジョン放送信号ｃｈ１９が配置されている。地上アナログテレビジョン放送信号と地上デジタルテレビジョン放送信号とは、変調方式が異なる。このチャンネル１９の上側に隣接して地上デジタルテレビジョン放送信号、例えばチャンネル２０のテレビジョン放送信号ｃｈ２０が配置されている。チャンネル１９のテレビジョン放送信号ｃｈ１９のピークレベルがチャンネル１８、２０の地上デジタルテレビジョン放送信号よりも大きい。チャンネル２０から離れて、地上デジタルテレビジョン放送信号、例えばチャンネル２３のテレビジョン放送信号ｃｈ２３が配置されている。
【００２０】
ここで、地上デジタル放送信号であるチャンネル１８、２０のテレビジョン放送信号ｃｈ１８、ｃｈ２０に隣接して、地上アナログテレビジョン放送信号であるチャンネル１９のテレビジョン放送信号ｃｈ１９が存在するが、受信地域等により視聴を禁止されることがある。即ち、この実施形態では、チャンネル１８、２０のテレビジョン放送信号ｃｈ１８、ｃｈ２０を第１の希望チャンネル信号とすると、チャンネル１９のテレビジョン放送信号ｃｈ１９が非希望チャンネル信号である。そのため、チャンネル１９のテレビジョン放送信号ｃｈ１９をマスクするが、そのマスクする信号の基として、離れたチャンネルであり、希望チャンネルと同じ変調方式のチャンネル２３のテレビジョン放送信号ｃｈ２３を利用する。この実施形態では、チャンネル２３の地上デジタルテレビジョン放送信号が第２の希望チャンネル信号である。
【００２１】
そのための前提として、このコンバータ２では、入力端子４に供給されたブロック信号を分配手段、例えば２分配器８によって２分配し、その一方の分配出力を抽出手段、例えばバンドパスフィルタ１０に供給する。このバンドパスフィルタ１０は、ブロック信号を抽出することができるように通過帯域を有するもので、不要な信号を除去するためのものである。
【００２２】
このバンドパスフィルタ１０で抽出されたブロック信号（チャンネル１５乃至２０、２３のテレビジョン放送信号ｃｈ１５乃至ｃｈ２０、ｃｈ２３）は、増幅手段、例えば増幅段１２によって増幅され、第２変換手段、例えばミキサー１４に供給される。ミキサー１４には局部発振手段、例えば局部発振器１６から局部発振信号が供給され、ブロック信号を図２（ｄ）に示すようにミッドバンドのブロック信号（ミッドバンドテレビジョン放送信号ｍｃｈ１５乃至ｍｃｈ２０、ｍｃｈ２３）に周波数変換する。
【００２３】
ミッドバンドは、ＵＨＦ帯よりも低く、ＶＨＦ帯でテレビジョン放送に利用されている帯域外の周波数帯、例えばチャンネル５２から６１の帯域である。ミキサー１４は、各チャンネル１５乃至２０、２３のテレビジョン放送信号ｃｈ１５乃至ｃｈ２０、ｃｈ２３を、それらの周波数から局部発振信号の周波数を減算した値の周波数に変換する。従って、各チャンネル１５乃至２０、２３のテレビジョン放送信号ｃｈ１５乃至ｃｈ２０、ｃｈ２３の周波数配置は、反転していない。
【００２４】
このミキサー１４の出力信号は、抽出手段、例えば帯域通過フィルタ１８に供給され、不要な信号成分が除去された後、更に増幅段２０によって増幅され、合成手段、例えば混合器２２に供給される。
【００２５】
一方、２分配器８の他方の分配出力は、抽出手段、例えばバンドパスフィルタ２４に供給される。このバンドパスフィルタ２４は、図２（ｂ）に示すように、チャンネル２３の地上デジタルテレビジョン放送信号ｃｈ２３を抽出するように通過帯域が選択されている。但し、チャンネル２３の地上デジタルテレビジョン放送信号は、ブロック信号中の他のテレビジョン放送信号ｃｈ１５乃至２０とは周波数が離れているので、鋭い選択性をバンドパスフィルタ２４に持たせなくても抽出され、このバンドパスフィルタ２４にはＳＡＷフィルタのような高コストのものを使用する必要はない。
【００２６】
このバンドパスフィルタ２４の出力信号は、増幅手段、例えば増幅段２６によって増幅された後、第１の変換手段、例えばミキサー２８に供給される。ミキサー２８には、局部発振手段、例えば局部発振器３０から局部発振信号も供給されている。ミキサー２８は、チャンネル２３の地上デジタルテレビジョン放送信号ｃｈ２３を、図２（ｃ）に示すように、ミッドバンドテレビジョン放送信号ｍｃｈ１９と同じチャンネルのマスク用ミッドバンドテレビジョン放送信号ｍｍｃｈ１９に周波数変換する。
【００２７】
このとき、ミキサー２８は、局部発振信号からチャンネル２３のテレビジョン放送信号ｃｈ２３の周波数を減算した値の周波数に、チャンネル２３のテレビジョン放送信号ｃｈ２３を周波数変換する。従って、周波数変換前のチャンネル２３のテレビジョン放送信号の下限周波数が、変換後のマスク用ミッドバンドテレビジョン放送信号ｍｍｃｈ１９の上限周波数となり、周波数変換前のチャンネル２３のテレビジョン放送信号の上限周波数が、変換後のマスク用ミッドバンドテレビジョン放送信号ｍｍｃｈ１９の下限周波数となり、周波数の反転が行われている。
【００２８】
ミキサー２８の出力信号は、抽出手段、例えばバンドパスフィルタ３２に供給される。このバンドパスフィルタ３２は、マスク用ミッドバンドテレビジョン放送信号ｍｍｃｈ１９を通過させるように周波数帯域が選択され、不要な信号成分、例えば局部発振信号が漏れることを防止している。このバンドパスフィルタ３２の出力信号が、増幅段３４によって増幅された後、混合器２２に供給されている。なお、増幅段２６、３４の利得は、マスク用ミッドバンドテレビジョン放送信号ｍｍｃｈ１９のピークレベルが、ミッドバンドテレビジョン放送信号ｍｃｈ１９のピークレベル以上になるように選択されている。
【００２９】
従って、混合器２２の出力は、図２（ｅ）に示すように、ミッドバンドブロック信号中の元は地上アナログテレビジョン放送信号であるミッドバンドテレビジョン放送信号ｍｃｈ１９は、地上デジタルテレビジョン放送信号であるマスク用ミッドバンドテレビジョン放送信号ｍｍｃｈ１９によってマスクされている。よって、地上アナログテレビジョン放送信号であるミッドバンドテレビジョン放送信号ｍｃｈ１９を視聴することはできない。しかも、マスク用ミッドバンドテレビジョン放送信号ｍｍｃｈ１９は、元の２３チャンネルの地上デジタルテレビジョン放送信号ｃｈ２３とは、周波数関係が反転しているので、このマスク用ミッドバンドテレビジョン放送信号ｍｍｃｈ１９から元のチャンネル２３のテレビジョン放送を視聴することはできない。また、マスク用ミッドバンドテレビジョン放送信号ｍｍｃｈ１９のピークレベルは、元の１９チャンネルの地上アナログテレビジョン放送信号のピークレベル以上にされているので、１９チャンネルの地上アナログテレビジョン放送信号は完全にマスクされている。
【００３０】
なお、混合器２２の出力信号は、抽出手段、例えばバンドパスフィルタ３６を介して出力端子３８に供給され、これから共同受信施設を介して各端末にある地上デジタル対応型のテレビジョン受信機に伝送される。なお、バンドパスフィルタ３６は、ミッドバンドブロック信号を通過させる通過帯域を備えるものである。
【００３１】
上記の実施の形態では、共同受信施設用のコンバータに本発明を実施したので、ブロック信号をミッドバンドに周波数変換している。そのため、ミキサー２８においてもミッドバンドにチャンネル２３の地上デジタルテレビジョン放送信号を周波数変換している。しかし、ブロック信号をミッドバンドに周波数変換しない場合、例えば家庭用のコンバータに本発明を実施する場合、ミキサー１４、局部発振器１６は不要で、ミキサー２８は、チャンネル２３の地上デジタルテレビジョン放送信号をチャンネル１９に周波数変換すればよい。また、上記の実施の形態では、チャンネル１５乃至２０、２３のテレビジョン放送信号を使用したが、これらは単なる一例にすぎず、他のチャンネルにおいても第１の希望チャンネル信号に隣接または隣隣接して非希望チャンネル信号が存在し、これらと離れて第２の希望チャンネル信号が存在する場合、この発明を実施することができる。上記の実施の形態では、抽出手段としてバンドパスフィルタ２４を使用したが、これに限ったものではなく、例えば遮断周波数がチャンネル２０とチャンネル２３との間に存在するハイパスフィルタを使用することもできる。また、上記の実施の形態では、マスク用ミッドバンドテレビジョン放送信号ｍｍｃｈ１９のピークレベルを、ミッドバンドテレビジョン放送信号ｍｃｈ１９のピークレベル以上としたが、マスク用ミッドバンドテレビジョン放送信号ｍｍｃｈ１９のピークレベルを、ミッドバンドテレビジョン放送信号ｍｃｈ１９のピークレベルと同等または以下とすることもできる。
【図面の簡単な説明】
【００３２】
【図１】本発明の１実施形態の特定チャンネル妨害装置を実施したコンバータのブロック図である。
【図２】図１のコンバータの各部の波形図である。
【符号の説明】
【００３３】
４  入力端子
２４  バンドパスフィルタ（抽出手段）
２２  混合器（合成手段）
２８  ミキサー（第１の変換手段）
【図１】
0004832950.tif 000002
【図２】
0004832950.tif 000003